(57)【要約】【課題】効率良く採光するとともに、採光した光を有効に利用する採光システムを提供する。【解決手段】建物１の開口部に配置され、室外側からの光を室内側に透過させる採光シート１０と、採光シートを透過した光を反射する反射手段２５と、を有し、採光シートは、複数の層が積層されることにより形成されており、透光性を有する基材層と、基材層上に形成された光反射層と、を備え、光反射層は、基材層の一方の面に沿って配列された、光を透過する光透過部と、光透過部間に形成され、到達した光を反射する光反射部と、を具備し、反射手段は、シート状の部材であり、シート面には突出するように形成された複数の単位反射要素が配列され、単位反射要素を形成する少なくとも１つの面が採光シートから出射された光を下方に向けて反射する直線状に延びる反射面である所定の方向に反射する反射面である。【選択図】図２
2015074922.tif 000002
【特許請求の範囲】
【請求項１】
外光を室内に取り入れる採光システムであって、
建物の開口部に配置され、室外側からの光を室内側に透過させる採光シートと、
前記採光シートを透過した光を反射する反射手段と、を有し、
前記採光シートは、
複数の層が積層されることにより形成されており、透光性を有する基材層と、前記基材層上に形成された光反射層と、を備え、
前記光反射層は、前記基材層の一方の面に沿って配列された、光を透過する光透過部と、前記光透過部間に形成され、到達した光を反射する光反射部と、を具備し、
前記反射手段は、
シート状の部材であり、シート面に突出するように形成された複数の単位反射要素が配列され、前記単位反射要素を形成する少なくとも１つの面が前記採光シートから出射された光を下方に向けて反射する直線状に延びる反射面である、採光システム。
【請求項２】
前記反射手段に備えられる単位反射要素の前記反射面には光を反射する層が積層されている請求項１に記載の採光システム。
【請求項３】
前記反射手段に備えられる単位反射要素の前記反射面は、前記単位反射要素よりも低い屈折率の物質と接しており、前記単位反射要素と前記低い屈折率の物質との全反射により光を反射する請求項１に記載の採光システム。
【請求項４】
前記採光シートは、前記光透過部と前記光反射部との屈折率差により光を反射する請求項１乃至３のいずれか一項に記載の採光システム。
【請求項５】
前記採光シートに備えられる前記光反射部には光を拡散する粒子が分散されており、該粒子により光を反射する請求項１乃至４のいずれか一項に記載の採光システム。
【請求項６】
請求項１乃至５のいずれか一項に記載された採光システムを具備する建物であって、
前記採光システムの前記採光シートが配置される窓と、
前記反射手段が配置される天井と、を有し、
前記採光シートにより外光が室内に透過され、透過された外光が前記反射手段で所定の方向に反射される、建物。
【発明の詳細な説明】
【技術分野】
【０００１】
本発明は、建物等の内部に日光等の外光を採り入れるとともに、取り入れた外光を有効に利用する採光システム、及びこれを用いた建物に関する。
【背景技術】
【０００２】
いわゆる窓ガラス等により、建物の内部に日光等の外光を採り入れて快適な室内空間を形成することはよく知られている。これに対し、直射日光を制御してより快適な態様で外光を採り入れる技術が例えば特許文献１に開示されている。
【０００３】
特許文献１には、透明シートの面に、一方向に延在する凹状溝が繰り返し設けられており、この凹状溝には充填材が配置され、これにより透明シート材への入射光を反射する反射面が凹状溝の少なくとも一方の斜面に形成される形態が開示されている。これにより、反射面で外光を反射させて窓を透過した直射太陽光を、屋内に導入することができる。
【先行技術文献】
【特許文献】
【０００４】
【特許文献１】特開２０１２−２５５９５１号公報
【発明の概要】
【発明が解決しようとする課題】
【０００５】
しかしながら、特許文献１に開示されている採光シートでは、取り入れた外光（太陽光）を必ずしも有効に利用しているとは言えなかった。
【０００６】
そこで本発明は上記した問題点に鑑み、効率良く採光するとともに、採光した光を有効に利用する採光システムを提供することを課題とする。また、当該採光システムを適用した建物を提供する。
【課題を解決するための手段】
【０００７】
以下、本発明について説明する。なお、ここでは分かりやすさのために、図面で用いた参照符号を括弧書きで記載する。ただし、本発明は図面に記載の形態に限定されるものではない。
【０００８】
請求項１に記載の発明は、外光を室内に取り入れる採光システム（５）であって、建物（１）の開口部に配置され、室外側からの光を室内側に透過させる採光シート（１５）と、採光シートを透過した光を反射する反射手段（２５）と、を有し、採光シートは、複数の層が積層されることにより形成されており、透光性を有する基材層（１６）と、基材層上に形成された光反射層（１７）と、を備え、光反射層は、基材層の一方の面に沿って配列された、光を透過する光透過部（１８）と、光透過部間に形成され、到達した光を反射する光反射部（１９）と、を具備し、反射手段（２５）は、シート状の部材であり、シート面に突出するように形成された複数の単位反射要素（２６）が配列され、単位反射要素を形成する少なくとも１つの面が採光シートから出射された光を下方に向けて反射する、直線状に延びる反射面である、採光システムにより前記課題を解決する。
【０００９】
請求項２に記載の発明は、請求項１に記載の採光システム（５）において、反射手段（２５）に備えられる単位反射要素（２６）の反射面（２６ａ）には光を反射する層が積層されている。
【００１０】
請求項３に記載の発明は、請求項１に記載の採光システム（５）において、反射手段（１２５）に備えられる単位反射要素（１２６）の反射面（１２６ａ）は、単位反射要素よりも低い屈折率の物質と接しており、単位反射要素と低い屈折率の物質との全反射により光を反射する。
【００１１】
請求項４に記載の発明は、請求項１乃至３のいずれか一項に記載の採光システム（５）において、採光シート（１５）は、光透過部（１８）と光反射部（１９）との屈折率差により光を反射する。
【００１２】
請求項５に記載の発明は、請求項１乃至４のいずれか一項に記載の採光システム（５）において、採光シート（１５）に備えられる光反射部（１９）には光を拡散する粒子が分散されており、該粒子により光を反射する。
【００１３】
請求項６に記載の発明は、請求項１乃至５のいずれか一項に記載された採光システム（５）を具備する建物（１）であって、採光システムの採光シート（１５）が配置される窓（２）と、反射手段が配置される天井と、を有し、採光シートにより外光が室内に透過され、この透過された外光が反射手段で所定の方向に反射される、建物である。
【発明の効果】
【００１４】
本発明によれば、効率良く採光できるとともに、採光した光を積極的に照明又は照明の補助として利用することができる。
【図面の簡単な説明】
【００１５】
【図１】建物１の斜視図である。
【図２】採光システム５が配置された建物１の一部を示した図である。
【図３】採光パネル１０が適用された窓２の正面図である。
【図４】採光パネル１０の断面を示し、その層構成を模式的に表した図である。
【図５】光反射部１９における光の反射の例を説明する図である。
【図６】図６（ａ）は反射手段２５の平面図、図６（ｂ）は反射手段２５の断面図である。
【図７】反射手段２５の断面の一部を拡大した図である。
【図８】図８（ａ）は反射手段１２５の断面図、図８（ｂ）は反射手段１２５の断面の一部を拡大した図である。
【図９】見込み角θａを説明する図である。
【図１０】外光の光路例について説明する図である。
【図１１】南中高度が高い場面を説明する図である。
【図１２】南中高度が低い場面を説明する図である。
【図１３】採光パネル１１０の断面を示し、その層構成を模式的に表した図である。
【図１４】採光パネル１１０の一部を拡大して説明する図である。
【図１５】採光パネル２１０の断面を示し、その層構成を模式的に表した図である。
【図１６】採光パネル２１０の一部を拡大して説明する図である。
【発明を実施するための形態】
【００１６】
本発明の上記した作用及び利得は、次に説明する発明の形態から明らかにされる。以下本発明を図面に示す形態に基づき説明する。ただし本発明は当該形態に限定されるものではない。
【００１７】
図１は第一の形態を説明する図であり、窓２（図２参照）が備えられた建物１の外観斜視図である。建物１はいわゆるオフィスビルであり、南側に面する外壁には室内外を連通する複数の開口部が設けられ、ここに採光システム５に含まれる採光パネル１０を具備する窓２が配置されている。
【００１８】
図２は、１つの窓２で室外と区切られた室内側空間Ｓの一部を模式的に表した図であり、ここに採光システム５が適用されている。図２からわかるように、採光システム５は採光パネル１０、及び反射手段２５を有して構成されている。以下、それぞれについて説明する。
【００１９】
図３は、採光シート１５（図４参照）により採光パネル１０が形成され、採光パネル１０が適用された窓２を正面から見た図である。窓２は、採光パネル１０と、該採光パネル１０のうち、少なくともパネル１１（図４参照）の外周部に沿ってパネル１１を縁取るように配置された枠３を有して構成されている。そして当該窓２が建物１の開口部に配置される。このように枠及びその枠内にパネルが備えられることにより窓が形成されること自体は公知の構成と同様である。従って枠３の形状も公知のものを適用することができる。
ここで当該窓２は、建物に予め配置されている窓に採光シート１５を貼付することにより形成することもできる。このときには建物には通常、パネル及びその外周部を縁取る枠を備えているので、このパネルに採光シート１５を貼付することで窓２とすることができる。
【００２０】
図４は、図３にＩＶａ−ＩＶａで示した線に沿った鉛直方向における断面図のうち採光パネル１０の部分に注目した断面であり、その層構成を模式的に表した図である。図４では見易さのため、繰り返しとなる符号は一部省略している（以降に示す各図において同じ。）。
【００２１】
採光パネル１０は、パネル１１、及びパネル１１に接着層１２により貼付された採光シート１５を有している。そして採光シート１５は、基材層１６、光反射層１７、接着層２０、保護層２１、ハードコート層２２を備えている。以下、採光パネル１０を構成するこれらの構成要素について説明する。なお、図４では採光パネル１０が鉛直になるように建物等に取り付けられた姿勢で表されており、図４の紙面左が室外側、紙面右が室内側、紙面上方が天、紙面下方が地となる。
【００２２】
パネル１１は、窓ガラスや樹脂パネル等、通常の建物や乗り物の窓等に用いられる透光性を有する板状の透光パネルである。従って、パネル１１を構成する部材としては公知の板ガラスや樹脂パネルを用いることができる。
ここでパネル１１は上記のように建物に予め配置されている窓ガラスを用いてもよい。すなわち、建物に備えられた窓に採光シート１５を貼付することにより採光パネル１０を形成することもできる。
【００２３】
接着層１２は、パネル１１に採光シート１５を接着するための層である。接着層１２を構成する材料としては、このような接着が可能であれば特に限定されず、公知の粘着剤、接着剤、光硬化性樹脂、熱硬化性樹脂等を用いることができる。粘着剤を例示すれば、例えばアクリル系の粘着剤を挙げることができ、さらに具体的にはアクリル系共重合体とイソシアネート化合物とを組み合わせた粘着剤がある。ただし、接着層１２を構成する材料は、採光パネル１０の性質上、透光性、耐候性に優れた材料によることが好ましい。
【００２４】
接着層１２の厚さは特に限定されないが、１０μｍ以上１００μｍ以下であることが好ましい。接着層１２が薄過ぎるとパネル１１と採光シート１５との密着性が低下する虞がある。また、接着層１２が厚過ぎると接着層１２の厚さを均一にすることが困難になる。
【００２５】
接着層１２には、赤外線、紫外線、及び可視光線の少なくとも１つを吸収する機能を有してもよい。「赤外線、紫外線、及び可視光線の少なくとも１つを吸収する」とは、赤外線、紫外線、および可視光線のいずれかに分類される電磁波のうち所定の波長の電磁波を吸収することを意味する。また、「吸収する」とは、上記所定の波長の電磁波を１０％以上吸収することを意味する。
【００２６】
かかる機能を有する層とするためには、赤外線、紫外線、及び可視光の少なくとも１つを吸収できる吸収剤を含有させればよい。
【００２７】
赤外線を吸収する吸収剤としては、アンチモンドープ酸化スズ（ＡＴＯ）またはスズドープ酸化インジウム（ＩＴＯ）、フタロシアニン化合物などの金属酸化物超微粒子などが挙げられる。これらの吸収剤を添加したり表面に塗布したりすることによって、赤外線を吸収できる。このように採光シートに赤外線を吸収する機能を付加することによって、例えば、特に夏場における室内温度の上昇を抑制して冷房の使用を抑えられる等の効果を奏する。
【００２８】
紫外線を吸収する吸収剤としては、ベンゾトリアゾール系紫外線吸収剤（ＴＩＮＵＶＩＮ  Ｐ、ＴＩＮＵＶＩＮ  Ｐ  ＦＬ、ＴＩＮＵＶＩＮ  ２３４、ＴＩＮＵＶＩＮ  ３２６、ＴＩＮＵＶＩＮ  ３２６  ＦＬ、ＴＩＮＵＶＩＮ  ３２８、ＴＩＮＵＶＩＮ  ３２９、ＴＩＮＵＶＩＮ  ３２９  ＦＬ、全てＢＡＳＦジャパン株式会社製）や、トリアジン系紫外線吸収剤（ＴＩＮＵＶＩＮ  １５７７  ＥＤ、ＢＡＳＦジャパン株式会社製）、ベンゾフェノン系紫外線吸収剤（ＣＨＩＭＡＳＳＯＲＢ  ８１、ＣＨＩＭＡＳＳＯＲＢ  ８１  ＦＬ、全てＢＡＳＦジャパン株式会社製）、ベンゾエート系紫外線吸収剤（ＴＩＮＵＶＩＮ  １２０、ＢＡＳＦジャパン株式会社製）等が挙げられる。これらの吸収剤を添加したり表面に塗布したりすることによって、紫外線を吸収できる。採光シートに紫外線を吸収する機能を付加することによって、例えば、室内に居る人の皮膚への悪影響や室内にある家具の退色等を抑制する等の効果を奏する。
【００２９】
可視光線を吸収する吸収剤としては、カーボンブラック等の光吸収性の着色粒子が好ましく用いられる。ただし、これに限定されず、例えば吸収すべき光の特性に合わせて特定の波長を選択的に吸収する着色粒子を用いてもよい。着色粒子の具体例としては、カーボンブラック、グラファイト、黒色酸化鉄等の金属塩、染料、顔料等で着色した有機微粒子や着色したガラスビーズ等を挙げることができる。これらの中では、コスト面、品質面、入手の容易さ等の観点から着色した有機微粒子が好ましい。より具体的には、カーボンブラックを含有したアクリル架橋微粒子や、カーボンブラックを含有したウレタン架橋微粒子等が好ましい。これらの吸収剤を添加したり表面に塗布したりすることによって、可視光線を吸収できる。採光シートに可視光線を吸収する機能を付加することによって、例えば、室内におけるまぶしさを和らげることができる。
【００３０】
上記のような吸収剤を含有させることによって、採光シートを建物の採光部に配置したときに、より快適な室内環境を提供することができる。当該吸収剤は、赤外線、紫外線、および可視光線のいずれかに分類される電磁波のうち所定の波長の電磁波を吸収できればよく、赤外線のみを吸収するように構成してもよく、紫外線のみを吸収するように構成してもよく、可視光線のみを吸収するように構成してもよく、赤外線、紫外線、および可視光線のうち２種以上の電磁波を吸収できるように構成してもよい。いずれの波長の電磁波を吸収できるように構成するかは、採光シートの設置場所や設置目的に応じて適宜選択可能である。また、吸収する電磁波の波長や吸収率は、上述した吸収剤の種類や量を適宜調整することによって調節できる。
なお、吸収剤を含む層における上記所定の波長の電磁波の吸収率は１０％以上であり、９０％以下であることが好ましい。吸収率が１０％未満であれば吸収剤を含有させる効果を得難く、９０％以下とすれば吸収剤を構成する組成物の調整が容易である。
【００３１】
基材層１６は、光反射層１７を形成するための基材となる層であり、透光性を有するとともに、光反射層１７の変形を防止できるように支持する。かかる観点から、基材層１６を構成する材料の具体例として例えば、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を挙げることができる。
【００３２】
基材層１６の厚さは特に限定されないが、２５μｍ以上３００μｍ以下であることが好ましい。基材層１６の厚さがこの範囲を外れると、加工性に問題を生じる虞がある。例えば、基材層１６が薄過ぎればしわが生じやすくなる。また、基材層１６が厚過ぎれば、中間工程において巻き取ることが難しくなる。
【００３３】
光反射層１７は、一方の面側から入射した光（後述するように、特に斜め上方から入射した光）を反射させて他方の面側に出射可能な層である。光反射層１７は、図４に示した断面を有して紙面奥／手前側に延在する形状を有する。すなわち、図４に表れる断面において、台形である光透過部１８、及び、隣り合う光透過部１８の間の、断面が台形の凹部内に形成された光反射部１９を備えている。本形態では光透過部１８より基材層１６側で隣り合う光透過部１８同士が連結している。そして、光透過部１８及び光反射部１９は当該断面を有してシート面の一方向（本形態では水平方向）に延び、当該一方向とは異なる方向（本形態では鉛直方向）に複数の光透過部１８及び光反射部１９が交互に配列されている。
光反射層１７のいずれかの部位には、赤外線、紫外線、及び可視光の少なくとも１つを吸収できる吸収剤を含有してもよい。特に、赤外線吸収剤を入れることで、太陽高度の高い夏は光反射層で赤外線を吸収させやすいため涼しく、太陽高度の低い冬は光反射層で赤外線を吸収させ難いため暖かく、過ごしやすい室内環境にすることができる。
【００３４】
光透過部１８は光を透過する部位であり、光透過部１８の基材層１６側の面とその反対側の面（保護層２１側の面）とが平行に形成されていることが好ましい。これによって、後に説明するように採光パネル１０を窓２に適用した場合に室内側から室外側の景色がさらに見やすくなる。好ましくは光透過部１８は光を散乱させることなく透過する。これにより背面側の景色の見易さが向上する。ここに「光を散乱させることなく透過する」とは、意図的に光を散乱させる材料を添加することなく形成された部位であることを意味し、光を散乱させる意図のない材料中を光が透過するときに不可避的に散乱が生じることは許容される。
【００３５】
光透過部１８を構成する材料は、基材層１６と同じであってもよいし、異なっていてもよい。ただし両者間で屈折率差があるとその界面で光が反射されてしまう可能性が高まるので、同じ材料であること、又は異なる材料であっても屈折率差が小さい、あるいは屈折率差がないことが好ましい。
光透過部１８と基材層１６とを同じ材料で構成する場合には、基材層１６と光透過部１８とを一体に形成することもできる。また、光透過部１８と基材層１６とを異なる材料で構成する場合、及び同じ材料で構成する場合であっても、基材層１６と光透過部１８とを別々に形成し、公知の手段により積層してもよい。
光透過部１８の形成方法の具体例は後で説明する。
【００３６】
光透過部１８を構成する材料としては、例えば、アクリル、スチレン、ポリカーボネート、ポリエチレンテレフタレート、アクリロニトリル等の一以上を主成分とする透明樹脂や、エポキシアクリレートやウレタンアクリレート系の反応性樹脂（電離放射線硬化型樹脂等）を挙げることができる。
【００３７】
光透過部１８はシート面に沿った方向に所定の間隔で配列される。従って、隣り合う光透過部１８の間には、台形断面を有する凹部が形成されている。該凹部は、光透過部１８の上底側に下底を有し、光透過部１８の下底側に上底を有する台形状の断面を有した溝であり、ここに後述する必要な材料が充填されることにより光反射部１９が形成される。すなわち、図４に表れる断面において、光透過部１８は、基材層１６側となる面に下底を有し、これとは反対側の面に該下底より短い上底を有する台形の断面を有する要素である。
【００３８】
光反射部１９は、ここに到達した光を反射する部位であり、本形態では、所定の条件で界面に達した光は全反射し、光反射部１９内に到達した光は拡散反射するように構成されている。
【００３９】
このような光反射部１９とするため、光反射部１９内に光透過部１８よりも低い屈折率の樹脂を充填することができる。これによれば光透過部１８と光反射部１９との界面で、屈折率差に基づき光の入射角の条件によって全反射させて反射することができる。屈折率差が大きいほど全反射することができる光は多くなる。具体的な屈折率差は特に限定されることはないが、０より大きく０．１６以下を挙げることができる。
さらに、光反射部１９には、例えば図５に示したように、顔料を分散させることで光を拡散反射することができる。このような顔料は隠蔽性のあるものが好ましく、例えば白色顔料や銀色顔料が挙げられる。白色顔料としては、例えば、酸化チタン、二酸化チタン、酸化マグネシウム、酸化亜鉛などの金属酸化物が挙げられる。一方、銀色顔料としては、例えば、アルミニウム、クロムなどの金属が挙げられる。これによれば全反射することなく光反射部１９内に光が達したときにも反射して室内側に光を反射することができる。
【００４０】
光反射部１９は隣合う光透過部１８の間の凹部に形成されるので、その形状も凹部に沿ったものとなる。従って本形態では光反射部１９は基材層１６側に短い上底、保護層２１側に長い下底を有する略台形断面を有し、その間に斜辺を有している。この斜辺は光透過部１８との界面を構成し、共通の斜辺となる。
【００４１】
光反射部１９（光透過部１８）の断面における斜辺の角度θ１（図４参照）は、シート面法線に対して０度以上２０度以下であることが好ましい。θ１が０度未満（これは図４に表れる断面において、光反射部１９の基材層１６側の幅より保護層２１側の幅が短い形状になることを意味する。）になるように光反射部１９を形成するとすれば、光反射層１７を形成する際に用いる金型の作製が困難になり、また、作製しても離型性に問題が生じる虞がある。一方、θ１が大き過ぎると開口幅（図３に表れる断面において、光反射部１９の保護層２１側の幅）に対する高さ（光反射層１７の厚さ方向の大きさ）のアスペクト比を大きくする事が困難になり、光反射層１７によって後述する所望の効果を得ることが難しくなる。
【００４２】
光反射部１９が配列されるピッチは特に限定されることはないが、１０μｍ以上２００μｍ以下であることが好ましく、１００μｍ以上２００μｍ以下であることがさらに好ましい。光反射部１９のピッチが狭すぎると、光反射層１７によって後述する所望の効果を得ることが難くなり、回折現象により、光透過部１８を透過した像が虹状になる不具合が生じる虞がある。また、光反射部１９のピッチが広すぎると、光反射部１９を形成することが困難になったり、後述するようにして光反射層１７を作製する際に金型の離型性や加工性に問題を生じる虞がある。また、光反射部１９の開口幅（図４に表れる断面において、保護層２１側の幅）は特に限定されないが、５μｍ以上１５０μｍ以下であることが好ましい。光反射部１９の開口幅が狭すぎると、光反射層１７によって後述する所望の効果を得ることが難くなる。また、光反射部１９の開口幅が広すぎると、光反射部１９を形成することが困難になったり、光反射層１７を作製する際に金型の離型性や加工性に問題を生じる虞がある。
【００４３】
光反射層１７の厚さは特に限定されないが、５０μｍ以上３００μｍ以下であることが好ましい。光反射層１７が薄過ぎると後述する所望の効果を得難くなったり、微細な加工（光反射部１９の形成など）を施すことが難しくなったりする虞がある。また、光反射層１７が厚過ぎると後述するようにして光反射層１７を作製する際に、金型が離型し難くなるなど、加工性に問題を生じる虞がある。
【００４４】
本発明において光透過部及び光反射部の形状は図４に示した形態に限定されない。したがって、図４に表れる断面に相当する断面において、光透過部は矩形であってもよく、上記台形の斜辺に相当する部分が曲線状（当該曲線の接線が各部において上記θ１と同じ条件であることが好ましい。）や折れ線状（折れ線を構成する各線が上記θ１と同じ条件であることが好ましい。）となっていてもよい。
【００４５】
接着層２０は、保護層２１を光反射層１７のうち基材層１６とは反対側に貼り付けるための層であり、かかる機能を有する各種のものを用いることができる。接着層２０に用いられる材料は特に限定されることはないが、上記接着層１２と同様のものを用いることができる。また接着層２０の好ましい厚さも上記接着層１２と同様である。
【００４６】
保護層２１は、上記基材層１６と対になり、光反射層１７を挟むように配置される層であり、基材層１６と併せて光反射層１７を保護する機能を有する。保護層２１はこのような機能を有するものであれば、その材料は特に限定されることはないが、例えば上記した基材層１６と同様の材料により構成することができる。
【００４７】
ハードコート層２２は、表面保護を目的として、採光パネル１０のうちパネル１１とは反対側の最表面に設けられる層である。ハードコート層２２は透明な樹脂層として形成することができ、擦り傷、表面汚染に対する耐性の観点から、硬化性樹脂が硬化してなる樹脂硬化層として形成することが好ましい。
具体的には電離放射線硬化性樹脂、その他公知の硬化性樹脂等を要求性能に応じて適宜採用すればよい。電離放射線硬化性樹脂としては、アクリレート系、オキセタン系、シリコーン系などが挙げられる。
【００４８】
また、ハードコート層２２には、耐汚染性向上の機能を追加してもよい。これは例えばシリコーン系化合物、フッ素系化合物などを添加することにより可能となる。さらにその他の機能として帯電防止性向上、撥水性向上の機能を有するものとしてもよい。帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とが共存）などが挙げられ、イオン導電タイプではリチウム塩系材料などが挙げられる。また、撥水性向上のために用いることができる材料としては、フッ素系化合物などが挙げられる。
【００４９】
以上説明した採光パネル１０は例えば次のように製造することができる。
【００５０】
採光パネル１０は、パネル１１に接着層１２により採光シート１５を貼合することによって製造することができる。そして採光シート１５は、例えば次のように作製する。
【００５１】
まず、光反射層１７は金型ロールを用いる方法により形成する。すなわち、円筒状であるロールの外周面に光反射層１７の光透過部１８を転写可能な凹凸が設けられた金型ロールを準備する。そして金型ロールとこれに対向するように配置されたニップロールとの間に、基材層１６となる基材を挿入する。このとき基材の一方の面には接着層１２が予め形成されていることが好ましい。そして、基材のうち接着層１２が配置されていない側の面と金型ロールとの間に光透過部１８を構成する硬化前の組成物を供給しながら金型ロール及びニップロールを回転させる。これにより金型ロールの表面に形成された凹凸の凹部内に光透過部１８を構成する組成物が充填され、該組成物が金型ロールの凹凸の表面形状に沿ったものとなる。
【００５２】
ここで、光透過部１８を構成する組成物としては、上記したものが好ましいが、さらに具体的には次の通りである。すなわち、光硬化型プレポリマーに、反応性希釈モノマー及び光重合開始剤を配合した光硬化型樹脂組成物を用いることができる。これらは公知のものを適宜用いることができる。
【００５３】
金型ロールと基材との間に挟まれ、ここに充填された光透過部１８を構成する硬化前の組成物に対し、基材側から光照射装置により光を照射する。これにより、光透過部１８を構成する組成物を硬化させ、その形状を固定させることができる。そして、離型ロールにより金型ロールから基材層１６及び成形された光透過部１８を離型する。
【００５４】
次に、隣り合う光透過部１８の間に形成された凹部に光反射部１９を構成する硬化前の組成物を充填して硬化させることによって、光反射部１９を形成することができる。具体的には、光透過部１８の凹部に光反射部１９を構成する硬化前の組成物を過剰に供給し、その余剰分をブレードにより掻き取ることによりその量を調整するとともに凹部に組成物を充填する。そして凹部内に充填された組成物を適切な方法で硬化させる。
このようにして、基材層１６上に光反射層１７を形成することができる。
【００５５】
一方、保護層２１の一方の面にハードコート層２２、他方の面に接着層２０を積層した積層体を準備し、この積層体の接着層２０が光反射層１７に接するように積層する。なお、接着層２０が紫外線硬化樹脂、光硬化性樹脂等からなる場合には、積層後に紫外線又は光を照射して硬化させればよい。
【００５６】
以上のように作製した採光シート１５を接着層１２によりパネル１１に貼合することで採光パネル１０とする。採光パネル１０には、接着層１２でなく、上記した各層のいずれかに、赤外線、紫外線、及び可視光の少なくとも１つを吸収できる吸収剤を含有させてもよい。
【００５７】
図２に戻り反射手段２５について説明する。反射手段２５は採光パネル１０が具備される窓２の室内側の室内空間の天井部に設置されるシート状の部材であり、採光パネル１０で反射された外光をさらに反射して光を所望の方向に制御して当該所望の部分を明るく照明する手段である。
図６（ａ）、図６（ｂ）、図７には反射手段２５の構造を模式的に表した。図６（ａ）は反射手段２５を図２にＶＩａで示した方向、すなわち照明される側から見た平面図である。図６（ｂ）は図６（ａ）にＶＩｂ−ＶＩｂで示した線に沿った反射手段２５の断面図、図７はこの断面図の一部を拡大した図である。
【００５８】
これらの図からわかるように、反射手段２５には、光を反射する側に突出する複数の単位反射要素２６が配列されている。
単位反射要素２６は、所定の断面を有して一方向に延びる要素であり、本形態では三角形断面を有する三角柱状である。この複数の単位反射要素２６がシート面方向に沿って並べられるように配列されている。より具体的には、単位反射要素２６の三角形断面における１つの頂点が光を反射する側に向けて突出し、該頂点が形成する稜線が水平方向に延びている。そしてこの稜線方向に直交する方向に単位反射要素２６が配列されている。
また、単位反射要素２６は、光を反射する側に突出した頂点（稜線）を含む１つの辺（面）に反射面２６ａが形成されている。反射面２６ａは図７に示したように単位反射要素２６を天井に設置した姿勢で水平面に対して角度αで傾斜するとともに、光を反射する材料により形成された反射層が設けられている。
ここで、角度αは光を反射する方向により適宜変更可能であるが、０度より大きく４５度以下が好ましい。αが０度以下であると採光した光を適切に反射することができず、αが４５度より大きいと採光シートによりほぼ水平に反射させて採光した光を反射させたときに窓側に戻る光が生じるので採光効率が低下する虞がある。また、単位反射要素２６は、反射面２６ａと、反射を想定していないライズ面２６ｂとを有しており、反射面２６ａはαが０度より大きく、ライズ面２６ｂはαが０より小さくなる。
また反射層を形成する材料は、光を反射することができればよく特に限定されることはないが、例えば金属薄膜を挙げることができ、アルミニウムや銀の薄膜を用いることができる。
【００５９】
その他、単位反射要素２６の構成は特に限定されることはないが、その突出高さは０μｍより大きく２００μｍより小さいことが好ましい。また隣り合う単位反射要素２６とのピッチは１０μｍより大きく、２００μｍより小さいことが好ましい。ピッチが小さすぎると回折現象により、反射した像が虹状になる不具合が生じる虞がある。また、突出高さ、ピッチが大きすぎると、単位反射要素２６を形成することが困難になったり、金型の離型性や加工性に問題を生じたりする虞がある。
【００６０】
ここで、反射手段２５は、天井に設置された姿勢で、突出した反射面２６ａが光を反射すべき側（すなわち下方、天井とは反対側）に向けられ、その稜線が延びる方向は採光パネル１０のパネル面に対して平行であることが好ましい。従って、複数の単位反射要素２６が配列される方向は、採光パネル１０から離隔する方向である。
【００６１】
また、反射手段２５は、天井の全面に亘って設置されてもよいし、天井の一部に設置されてもよい。
【００６２】
反射手段２５は、反射層以外の部位を例えば上記した光透過部１８と同様の材料で形成することができる。そして反射層は上記したように金属薄膜等を用いることが可能である。従って、このような反射手段２５は例えば押し出し成型や賦型により反射層以外の部分の形状を作製し、蒸着や塗布により反射面に金属膜を製膜して反射層を積層することができる。
なお、反射手段２５は天井に設置する観点から難燃であることが好ましい。そのため、水酸化アルミニウム、水酸化マグネシウム等の金属水和酸化物を難燃剤として添加してもよい。
【００６３】
図８には、変形例にかかる反射手段１２５を説明する図を示した。図８（ａ）は図６（ｂ）と同じ視点、図８（ｂ）は図７と同じ視点による図である。
本例では、反射面として空気との界面を利用し、全反射による反射で光の向きを変える。従って、反射手段１２５では、光を反射する側とは反対側に突出する複数の単位反射要素１２６が配列されている。
単位反射要素１２６は、所定の断面を有して一方向に延びる要素であり、本形態では三角形断面を有する三角柱状である。この三角形断面における１つの頂点が光を反射する側とは反対側（天井側）に突出し、該頂点が形成する稜線が水平方向に延びるように配置されている。従って、隣り合う単位反射要素１２６の間には、凹部１２７が形成され、単位反射要素の傾斜面（反射面）１２６ａと凹部１２７との界面が形成される。ここは単位反射要素１２６側の屈折率が、凹部１２７側の屈折率よりも高いように屈折率差が生じている。これにより、当該界面で光が全反射することができる。
なお、屈折率差を調整するため、凹部１２７に単位反射要素１２６よりも屈折率差の低い樹脂で埋めることもできる。
【００６４】
このような反射手段１２５は、図８（ｂ）に示したように天井に設置した姿勢で、単位反射要素１２６の反射面１２６ａは、水平面に対して角度βで傾斜し、角度βは光を反射する方向により適宜変更可能であるが、０度より大きく２０度以下であることが好ましい。２０度より大きいと、採光シートにより概ね水平に採光された光が天井の法線に対して概ね９０度で入射することになり、単位反射要素１２６の屈折率が１．５０である場合には反射面１２６ａに２０度で入射することになり、これを全反射させて下方に向きを変えることは困難であると考えられる。
また、単位反射要素１２６は、反射面１２６ａと、反射を想定していないライズ面１２６ｂとを有しており、反射面１２６ａはβが０度より大きく、ライズ面１２６ｂはβが０より小さくなる。
【００６５】
その他、単位反射要素１２６の構成は特に限定されることはないが、その突出高さは０μｍより大きく１００μｍより小さいことが好ましい。また隣り合う単位反射要素１２６とのピッチは１０μｍより大きく、２００μｍより小さいことが好ましい。ピッチが小さすぎると回折現象により、反射した像が虹状になる不具合が生じる虞がある。また、突出高さ、ピッチが大きすぎると、単位反射要素１２６を形成することが困難になったり、金型の離型性や加工性に問題を生じたりする虞がある。
【００６６】
また、単位反射要素１２６は、上記した光透過部１８と同様の材料により作製することが可能である。
【００６７】
次に、採光システム５を用いて、採光パネル１０により窓２を形成し、反射手段２５を天井に設置した１つの例について主要な光路について説明する。図２、図４、図５、図７、及び図８に説明のための光路例を模式的に示した。なお当該光路例は概念的に示したものであり、屈折、反射の程度等を厳密に表したものではない。
【００６８】
日光が想定される斜め上方から採光パネル１０に照射された外光Ｌ２１（図２）、外光Ｌ４１（図４）は、パネル１１、接着層１２及び基材層１６を透過して光反射層１７の光反射部１９に到達する。光反射部１９に到達した外光Ｌ４１は、光反射部１９によって反射される。この外光Ｌ４１は、光透過部１７と光反射部１９との屈折率差による全反射に基づく反射である。そして、全反射された外光４１は、接着層２０、保護層２１、及びハードコート層２２を透過して室内側に入射する。このとき、室内側に入射する光は天井の反射手段２５に向けて反射されている。
【００６９】
一方、図４に示した外光Ｌ４２は、光透過部１８と光反射部１９との界面で全反射することなく光反射部１９内に侵入した光路例である。このような外光も例えば図５に光路例Ｌ５１〜光路例Ｌ５３で示したように、光反射部１９に含有された光を反射させる物質で反射し、その少なくとも一部は上方に反射され、室内側に入射する光は天井の反射手段２５に向けて反射される。
【００７０】
採光パネル１０により天井に向けて反射された外光は、反射手段２５に達し、ここで下方に向けて例えば図２の光Ｌ２２、図７の光Ｌ７１のように反射される。反射された光は図２に示したように例えば空間Ｓに設置された机Ｄに照射される。反射手段２５による光の反射は、図７に表れているように、単位反射要素２６の反射面２６ａの反射により行われる。
【００７１】
このように反射手段２５に反射した光は、その方向が所定の位置に向かうように指向性を有するように制御され、その結果当該所定の位置が明るく照明される。そしてこの照明は、天井から照らされるので、人の目に直接入らないことから、天井照明と同様の役割を有する。従って、外光を効果的に照明、又は照明の補助として用いることができ、外光の効率的利用、及び省エネルギーを図ることが可能である。従来においては、眩しさを避けるために反射して外光を室内に採り入れる技術はあるが（上記特許文献１）、これを照明として積極的に利用することはできなかった。
【００７２】
反射手段として反射手段１２５を用いた場合には、採光パネル１０により天井に向けて反射された外光が、反射手段１２５に達し、ここで下方に向けて例えば図８（ｂ）の光Ｌ８１のように反射される。反射された光は図２の光Ｌ２２に示したように例えば空間Ｓに設置された机Ｄに照射される。反射手段１２５による光の反射は、図８（ｂ）に表れているように、単位反射要素１２６と凹部１２７との界面における全反射により行われる。
【００７３】
一方、室内側から室外を見たとき、観察者の視線は図４に示した光Ｌ４３による。すなわち、パネル１１に対して平行な面である光透過部１８の基材層１６側の面及びその反対側面を介して室外を観察することができる。この部分では界面における大きな屈折がないので、室外側の景色を鮮明に見ることが可能である。
【００７４】
以上のように、採光システム５によれば、外光を効率良く室内に採り入れてこれを照明又は照明の補助としつつ、室内側から外の景色を比較的鮮明に見ることも可能である。また、採光パネル１０では、光反射層１７が基材層１６及び保護層２１により挟まれているので耐久性も向上させることができる。
【００７５】
さらに、本形態において採光システム５のうち採光パネル１０に含まれる光反射層１７を以下のように構成することができる。図９には光反射層１７の一部を拡大した図を示した。上記のように、２つの光反射部１９の間には光透過部１８が配置される。従って、図９にＩＸａで示したように光透過部１８の対角線に相当する線を定義することができる。より詳しくは、隣り合う光反射部１９の向かい合う辺について、下方に配置される光反射部１９の辺の室内側端部と、隣接して上方に配置される光反射部１９の辺の室外側端部とを結ぶ線ＩＸａを見込み線とし、該見込み線ＩＸａが水平面となす角のうち９０度以下の方の角を見込み角θａとする。本形態では当該θａが所定の値をとることが好ましい。
ここでは光反射部１９の台形断面における脚部は、図９からわかるように、上方側となる脚部は水平面（採光パネル１０の法線）に対してθＵを有して傾斜し、下方側となる脚部は同様にθＤを有して傾斜しているものする。このときの見込み角θａの好ましい値について主要な光路に基づいて説明する。説明に必要な光路例を以下に示す図面に適宜表した。
【００７６】
図１０に１つの光路例である太陽からの光ＬＳ１を示した。図１０からわかるようにＬＳ１はそのときの太陽高度に基づいて仰角（水平面からなす角）θＳ１で採光パネル１０に照射される。採光パネル１０に入射した光ＬＳ１は採光パネル１０を透過するうちに光反射層１７の光透過部１８内を進む。光透過部１８内では、該光透過部の屈折率をＮＰ、室外の屈折率をＮ０とすれば、光ＬＳ１は、式（１）で表される太陽光進行角θＰ１で進む。
【００７７】
【数１】
2015074922.tif 000003
【００７８】
太陽光進行角θＰ１で進行した太陽光が光反射部１９に達したとき、上記のように、太陽光を全反射又は拡散反射することができる。これにより太陽光が反射される。
【００７９】
上記のように採光シート１０によれば、見込み角θａによらず、効率よく室内に太陽光を取り入れつつも直達光の少なくとも一部をなくすことができる。ただし、より効果的に太陽光を光反射部１９に照射させ、太陽光を散乱させて室内側に出射させる観点から見込み角θａを所定の角度範囲に規定することができる。以下に詳しく説明する。
【００８０】
図１１に説明図を示した。ここでは、一年のうち最も南中高度が高いときの仰角θＳＨを考える。すなわち、少なくとも一年のうちで最も南中高度が高いときの仰角θＳＨで太陽光が採光パネル１０に入射したときに、太陽光からの直接光を全て光反射部１９に到達させる観点から見込み角θａを規定することができる。図１１からわかるように、仰角θＳＨで入射した光ＬＳＨが必ず光反射部１９に達するための限度は、光透過部１８内を光ＬＳＨが見込み線に沿って進む状況である。すなわち、光透過部１８内における太陽光進行角θＰＨが見込み角θａと同じとなっていればよい。従って、これは、空気の屈折率をＮ０、光透過部の屈折率をＮｐとしたとき、屈折率、及び入射角の関係式により下記式（２）で表される。
【００８１】
【数２】
2015074922.tif 000004
【００８２】
式（２）から、見込み角θａを下記式（３）を満たすように構成することにより、少なくとも一年のうちで最も南中高度が高いときの仰角θＳＨで太陽光が採光パネル１０に入射したときに、太陽光からの直接光を全て光反射部１９に到達させることができる。
【００８３】
【数３】
2015074922.tif 000005
【００８４】
θＳＨは、所定の場所における南中高度が最も高い位置における仰角であるから、当該所定の場所ではこれ以上角度の大きい仰角は存在しない。従って、これより低い所定の仰角の太陽光までをも同様に光反射部１９に全て到達させるためには、式（１）を満たしつつ、さらに式（２）、式（３）のθＳＨのかわりに当該所定の仰角を考慮すれば同様にθａのとるべき値を得ることができる。
【００８５】
例えば、一年のうち南中高度が最も高い時の仰角θＳＨと、一年のうち南中高度が最も低い時の仰角θＳＬとの間の仰角θＳＭ以上の仰角からの直接の太陽光を光反射部に到達させたいときには、式（３）を満たしつつ式（４）を満たすように見込み角θａを形成すればよい。
【００８６】
【数４】
2015074922.tif 000006
【００８７】
このように見込み角θａを所定の角度にするための手段は、光反射部のピッチ、光反射部の脚部の角度（図９のθＵ、θＤ）、光反射部の厚さ方向（図９の紙面左右方向）の大きさを変更することを挙げることができる。これらを単独、又は複数組み合わせて見込み角θａを所定の角度に調整することが可能である。
【００８８】
このようにθａを小さくすることにより、季節による南中高度の違いだけでなく、一日のうちにおける太陽の高さの移動に伴う仰角の変化に対しても対応することができ、より多くの太陽光を光反射部に到達させて全反射や散乱反射し、室内側に提供することが可能となる。
【００８９】
一方で、θａを小さくすることにより光反射層１７が厚くなったり、光透過部１９が小さくなったりすることもある。これらにより、室外側の視認性が低下する虞もある。かかる観点から、θａの下限は特に限定されるものではないが、例えば図１２に示したように一年のうち最も南中高度が低いときの仰角θＳＬからの直接の太陽光を全て光反射部１９に到達させる観点からθａの下限を決めてもよい。図１２に説明のための図を示した。
基本的な考え方は式（２）、式（３）の算出と同様であるから、図１２からわかるように、仰角θＳＬによる太陽光ＬＳＬが見込み線に沿うように進むことを考えればよいので、式（５）を得ることができる。
【００９０】
【数５】
2015074922.tif 000007
【００９１】
ここで、θＰＬは、仰角θＳＬのときの光透過部の太陽光進行角である。従って、式（３）及び式（５）を求めた趣旨から式（６）を得ることができる。
【００９２】
【数６】
2015074922.tif 000008
【００９３】
ここでより具体的な例を挙げる。日本国内を考えたとき、札幌、東京、沖縄における一年のうち南中高度が最も高い時の仰角（θＳＨ）、一年のうち南中高度が最も低いときの仰角（θＳＬ）をそれぞれ表１に示した。
【００９４】
【表１】
2015074922.tif 000009
【００９５】
表１に基づいて、日本国内におけるθａの範囲を式（７）又は式（８）のように構成してもよい。
【００９６】
【数７】
2015074922.tif 000010
【００９７】
【数８】
2015074922.tif 000011
【００９８】
式（７）によれば、日本国内の概ね全域において少なくとも夏至における南中高度からの太陽光の全ての直射光を光反射部に到達させることができる。また、式（８）によれば、さらに高い視認性を有しつつ、多くの太陽光を光反射部に到達させることが可能である。
【００９９】
図１３は第二の形態を説明する図であり、図４に相当する。これは本形態の採光システムに含まれる採光パネル１１０が適用された窓のうち、採光パネル１１０の層構成を示した図である。反射手段については上記第一の形態と同様であるのでここでは説明を省略する。本形態では窓２と同様、採光パネル１１０及びこの外周部に枠体が取り付けられることにより、窓が形成される。図１４には、図１３の一部で、光反射層１１７に注目して拡大した図を示した。
ここで、上記した構成と同様の部分については同じ符号を付して説明を省略する。
【０１００】
採光パネル１１０は、パネル１１、接着層１２、及び接着層１２によりパネル１１に貼付された採光シート１１５を備えている。そして採光シート１１５は、基材層１６、光反射層１１７、接着層２０、保護層２１、及びハードコート層２２を備えている。なお、図１３、図１４では採光パネル１１０が鉛直になるように建物等に取り付けられた姿勢で表されており、図１３、図１４の紙面左が室外側、紙面右が室内側、紙面上方が天、紙面下方が地となる。
【０１０１】
光反射層１１７は、日光等の室外側からの光である外光を反射して室内側に透過させる機能を有する層である。反射層１１７は、図１３、図１４に表れているように、複数の光透過部１１８が配列されている。そして隣り合う光透過部１１８の間に空隙が形成され、これが光反射部１１９となる。
【０１０２】
各光透過部１１８は、基材層１６の面のうち接着層１２とは反対側に設けられ、基材層１６から凸となるように突出して形成されている。本形態では光透過部１１８は図１３、図１４に表れる断面において台形を有しており、当該断面を維持して紙面奥／手前方向（本形態では水平方向）に延びるように形成され、該延びる方向にとは異なる方向に配列されている。
【０１０３】
光透過部１１８は、台形断面において、下底を形成する第一面１１８ａ、上底を形成する第二面１１８ｂ、第一面１１８ａと第二面１１８ｂとを結ぶ面のうち下方に設けられる脚を形成する反射面１１８ｃ、及び上方に設けられる脚を形成する立ち上げ面１１８ｄを備えている。ここで反射面１１８ｃ及び立ち上げ面１１８ｄが光反射部１１９との界面を形成する。
【０１０４】
本形態では第一面１１８ａが室外側に面しており、第二面１１８ｂが室内側に面している。第一面１１８ａと第二面１１８ｂとは略平行に形成されている。第一面１１８ａ、第二面１１８ｂはその面がパネル１１の面に平行であることが好ましい。
【０１０５】
反射面１１８ｃは光反射部１１９との界面で、その屈折率差に基づいて外光を全反射させて室内側に透過させる面であり、パネル１１の面の法線となす角がθ１１である。θ１１の大きさは、外光を全反射させて所望の反射をさせることができれば特に限定されることはないが、外光が日光であり、斜め上方から入射してくることを鑑みるとθ１１は０度以上１２．１度以下であることが好ましく、θ１１は４．５度であることがさらに好ましい。θ１１が０度であるとき反射面１１８ｃは室内外方向に平行となる。ここで角度θ１１の正負は、採光パネル１１０を図１３のように鉛直に設置した姿勢において、室外側から室内側に向けて下がる傾斜を負、室外側から室内側に向けて上がる傾斜を正とする。
当該θ１１の範囲は、例えば東京（北緯３５．５度）、札幌（北緯４３度）、那覇（北緯２６度）の南北に緯度の大きく異なる３か所を基準とし、夏至、冬至における太陽の南中高度及び光反射層に用いることができる一般的な材料の屈折率を考慮して求めることができる。より具体的には次の通りである。
東京は北緯３５．５度、札幌は北緯４３度、那覇は北緯２６度であり、各地の夏至の南中高度はそれぞれ７８度（東京）、７０．５度（札幌）、８７．５度（那覇）となる。一方、冬至の南中高度は３１度（東京）、２３．５度（札幌）、４０．５度（那覇）である。従って、当該範囲の最小である２３．５度と最大である８７．５度との中心は５５度である。ここで、一般的な樹脂の屈折率を１．４９（アクリル系樹脂）以上１．５９（スチレン、ポリカーボネート系樹脂）以下として、スネルの法則に基づいて全反射条件を計算し、生産性も考慮すると、θ１１は０度以上１２．１度以下であることが好ましく、４．５度であることが更に好ましい。θ１１が０度より小さいと金型を製造する際の切削性、金型により光透過部を成型する際の成型性、及び金型離型性が悪くなる。また、θ１１が１２．１度より大きくなると、夏至における那覇の南中高度８７．５度のときに全反射しなくなる。
【０１０６】
以上は採光パネルを使用する地域の一例に基づいて算出した結果であるが、このように採光パネルを使用する地域における南中高度が最も高い角度と南中高度が最も低い角度とを考慮して、その地域における適切な角度を設定することができる。
【０１０７】
立ち上げ面１１８ｄは、反射面１１８ｃを形成することにより生じる面である。ただし、立ち上げ面１１８ｄは、反射面１１８ｃで全反射した外光が立ち上げ面１１８ｄで反射しないように傾斜して形成されていることが好ましい。具体的には立ち上げ面１１８ｄがパネル１１の面の法線となす角をθ１２とする。θ１２の大きさは、−７５．５度以上−２６．９度以下であることが好ましく、−５３．３度であることがさらに好ましい。当該範囲は上記した条件に基づき、全反射しない角度を好ましい範囲としたものである。
【０１０８】
光透過部１１８のピッチは１０μｍ以上２００μｍ以下であることが好ましい。ピッチが１０μｍより小さいと製造の困難がある。一方、ピッチが２００μｍより大きくなると金型を製造する際の切削性、金型により光透過部１１８を成型する際の成型性、及び金型離型性が悪く、製造上の不具合が生じる可能性がある。また光透過部１１８の幅（第一面１１８ａの下底幅）は、５μｍ以上１５０μｍ以下であることが好ましい。当該幅が５μｍより小さいと製造の困難がある。一方当該幅が１５０μｍより大きくなると金型を製造する際の切削性、金型により光透過部を成型する際の成型性、及び金型離型性が悪く、製造上不具合が生じる可能性がある。
【０１０９】
光反射層１１７の厚さは５０μｍ以上３００μｍ以下であることが好ましい。５０μｍより薄いと光学的な性能が不十分であったり、光反射層の加工が微細となり精度が低下したりする。一方３００μｍより厚いと光反射層を成型するに際して金型からの離型性に問題が生じることがある。
【０１１０】
ここで光透過部１１８は基材層１６と同じ材料であってもよいし、異なる材料であってもよい。ただし両者間で屈折率差があるとこの界面で光が反射されてしまう可能性が高まるので、同じ材料であること、又は異なる材料であっても屈折率差が小さい、あるいは屈折率差がないことが好ましい。
光透過部１１８と基材層１６とを同じ材料とする場合には、基材層１６と光透過部１１８とを一体に形成することもできる。また、光透過部１１８と基材層１６とが異なる材料である場合、及び同じ材料の場合であっても、基材層１６と光反射層１１７とが別に形成され、なんらかの手段により積層されてもよい。
【０１１１】
光反射層１１７の光透過部１１８を形成する材料は特に限定されることはないが、上記した光透過部１８と同様の材料を用いることができる。
【０１１２】
なお、本形態では隣り合う光透過部１１８の間は空気で満たされている。空気は屈折率が１．０であり、光透過部１１８の屈折率との関係で十分大きな屈折率差を得ることができる。当該屈折率差が大きいほど反射面１１８ｃで全反射することができる外光が多くなるので好ましい。
【０１１３】
次に採光パネル１１０により窓を形成し、これを建物の開口部に配置した場面における主要な光路について説明する。図１４に模式的な光路例を示した。
【０１１４】
日光が想定される斜め上方から採光パネル１００に照射された外光Ｌ１４１は、パネル１１、接着層１２及び基材層１６を透過して光反射層１１７の光透過部１１８に入射する。光透過部１１８に入射した外光Ｌ１４１は反射面１１８ｃに達し、その界面で全反射して斜め上方に進む光に反射される。そのあと、外光Ｌ１４１は立ち上げ面１１８ｄに達するが、立ち上げ面１１８ｄは上記したようにθ１２の角度を有しているので、ここでは全反射することなく透過し、接着層２０、保護層２１、及びハードコート層２２を透過して室内側に入射する。このとき、外光Ｌ１４１は斜め上方に反射されているので、光は天井に向かい、反射手段２５、１２５に提供される。
【０１１５】
一方、室内側から室外を見たとき、観察者の視線は光Ｌ１４２による。すなわち、パネル１１に対して平行な面である光透過部１１８の第二面１１８ｂ及び第一面１１８ａを介して室外を観察することができる。この部分では界面における大きな屈折がないので、室外側の景色を鮮明に見ることが可能である。
【０１１６】
以上のように、採光パネル１１０によっても上記採光パネル１０と同様に作用することができる。
【０１１７】
図１５は第三の形態を説明する図であり、図４に相当する。これは採光システムに含まれる採光パネル２１０が適用された窓のうち、採光パネル２１０の層構成を示した図である。反射手段については上記第一の形態と同様であるのでここでは説明を省略する。本形態では窓２と同様、採光パネル２１０及びこの外周部に枠体が取り付けられることにより、窓が形成される。図１６には、図１５の一部で、光反射層２１７に注目して拡大した図を示した。
ここで、上記した構成と同様の部分については同じ符号を付して説明を省略する。
【０１１８】
採光パネル２１０は、パネル１１、接着層１２、及び採光シート２１５を備え、該採光シート２１５が保護層２１、接着層２０、光反射層２１７、基材層１６、及びハードコート層２２を備えている。以下に各層について説明する。なお、上記した層と同じ層については同じ符号を付すとともに説明を省略する。
【０１１９】
光反射層２１７は、日光等の室外側からの光である外光を反射して室内側に透過させる機能を有する層である。光反射層２１７は、図１５、図１６に表れているように、複数の光透過部２１８が配列されている。
【０１２０】
光透過部２１８は、接着層２０の面のうち保護層２１とは反対側に設けられている。本形態では光透過部２１８は鉛直方向における厚さ方向断面で台形を有しており、当該断面を維持して紙面奥／手前方向（すなわち水平方向）に延びるように形成され、該延びる方向とは異なる方向に配列されている。
【０１２１】
光透過部２１８は、台形断面において、下底を形成する第一面２１８ａ、上底を形成する第二面２１８ｂ、第一面２１８ａと第二面２１８ｂとを結ぶ面のうち下方に設けられる脚を形成する反射面２１８ｃ、及び上方に設けられる脚を形成する立ち上げ面２１８ｄを備えている。反射面２１８ｃ、立ち上げ面２１８ｄが光反射部２１９との界面を形成する。
【０１２２】
本形態では第一面２１８ａが室内側に面しており、第二面２１８ｂが室外側に面している。第一面２１８ａと第二面２１８ｂとは略平行に形成されている。第一面２１８ａ、第二面２１８ｂはその面がパネル１１の面に平行であることが好ましい。
【０１２３】
本形態では反射面２１８ｃは外光を全反射させて室内側に透過させる面であり、パネル１１の面の法線となす角がθ１５である。θ１５の大きさは、外光を全反射させて所望の反射をさせることができれば特に限定されることはないが、外光が日光であり、斜め上方から入射してくることを鑑みるとθ１５は−５３．５度以上−２．５度以下であることが好ましく、θ１５は−４０．５度であることがさらに好ましい。この正負は図１４で説明した例と同じである。また、当該範囲も上記θ１１と同様の考え方により反射面２１８ｃにて全反射する条件から得たものである。
すなわち、このθ１５もθ１１と同様に採光パネル２１０が用いられる地域の南中高度に基づいて調整されることが好ましい。
【０１２４】
立ち上げ面２１８ｄは、反射面２１８ｃを形成することにより生じる面である。ただし、立ち上げ面２１８ｄは、光透過部２１８に入射する外光が立ち上げ面２１８ｄで反射しないように傾斜して形成されていることが好ましい。具体的には立ち上げ面２１８ｄがパネル１１の面の法線となす角をθ１６とする。θ１６の大きさは、２．５度以上６６．５度以下であることが好ましく、３５度であることがさらに好ましい。当該範囲も立ち上げ面２１８ｄにて全反射することなく光透過部２１８に光が入射する条件から得たものである。
【０１２５】
光透過部２１８のピッチ等は光透過部１１８と同様である。そして光透過部２１８のうち、第二面２１８ｂが接着層２０に接着されている。また、光透過部２１８を構成する材料等、その他の構成については上記した採光パネル１１０の光透過部１１８と同様である。
【０１２６】
次に採光パネル２１０により窓を形成し、これを建物の開口部に配置した場面における主要な光路について説明する。図１６に模式的な光路例を示した。
【０１２７】
日光が想定される斜め上方から採光パネル２１０に照射された外光Ｌ１６１は、パネル１１、接着層１２、保護層２１、及び接着層２０を透過して光反射層２１７の光透過部２１８に入射する。外光Ｌ１６１は光透過部２１８に入射するに際し、立ち上げ面２１８ｄに達するが、立ち上げ面２１８ｄは上記したようにθ１６の角度を有しているので、ここでは全反射することなく光透過部２１８内に入射する。光透過部２１８に入射した外光Ｌ１６１は反射面２１８ｃに達し、その界面で全反射して斜め上方に進む光に反射される。そのあと、基材層１６、及びハードコート層２２を透過して室内側に入射する。このとき、外光Ｌ１６１は斜め上方に反射されているので、光は天井や室内側空間の奥に照射される。
このように採光パネル２１０によれば、斜め上方から入射された光を入射した角度より上方に反射し、反射手段２５、１２５に光を提供することができる。
【０１２８】
一方、室内側から室外を見たとき、観察者の視線は光Ｌ１６２による。すなわち、パネル１１に対して平行な面である光透過部２１８の第二面２１８ｂ及び第一面２１８ａを介して室外を観察することができる。この部分では界面における大きな屈折がないので、室外側の景色を鮮明に見ることが可能である。
【符号の説明】
【０１２９】
１  建物
２  窓
３  枠
１０、１１０、２１０  採光パネル
１１  パネル
１２  接着層
１５、１１５、２１５  採光シート
１６  基材層
１７、１１７、２１７  光反射層
１８、１１８、２１８  光透過部
１９、１１９、２１９  光反射部
２０  接着層
２１  保護層
２２  ハードコート層
２５、１２５  反射手段
【図１】
2015074922.tif 000012
【図２】
2015074922.tif 000013
【図３】
2015074922.tif 000014
【図４】
2015074922.tif 000015
【図５】
2015074922.tif 000016
【図６】
2015074922.tif 000017
【図７】
2015074922.tif 000018
【図８】
2015074922.tif 000019
【図９】
2015074922.tif 000020
【図１０】
2015074922.tif 000021
【図１１】
2015074922.tif 000022
【図１２】
2015074922.tif 000023
【図１３】
2015074922.tif 000024
【図１４】
2015074922.tif 000025
【図１５】
2015074922.tif 000026
【図１６】
2015074922.tif 000027